(57)【要約】  本発明の目的は、ユーザ機器のローミング・トラフィック課金を実行し、ユーザ機器に関するローミング・トラフィック課金要求を受信し、ユーザ機器は、在圏ネットワークにローミングし、ローミング・トラフィック課金要求は、ユーザ機器のローミング・トラフィック関連情報を含み、ローミング・トラフィック関連情報が第１の課金条件を満足する場合に、ユーザ機器のローミング・トラフィック課金を実行するために、ユーザ機器に対応する代替ローミング・プロバイダのＯＣＳにローミング・トラフィック課金要求を転送し、代替ローミング・プロバイダは、ユーザ機器のホーム・ネットワークに対応する、方法および装置を提供することである。従来技術と比較して、本発明は、ローミング課金について、新しいＥＵローミング規制に基づき、Ｈ−ＭＮＯとは独立の代替ローミング・プロバイダをサポートする革新的なオンライン課金解決策を提供し、コア・ネットワークへの大きい影響を引き起こさずに、オペレータが新しいＥＵローミング規制をサポートし、ＥＵ委員会の期待のほとんどを満足することを可能にする。
2016503257.tif 000002
【特許請求の範囲】
【請求項１】
ユーザ機器のローミング・トラフィック課金を実行する方法であって、
ａ．前記ユーザ機器に関するローミング・トラフィック課金要求を受信するステップであって、前記ユーザ機器は、在圏ネットワークにローミングし、前記ローミング・トラフィック課金要求は、前記ユーザ機器のローミング・トラフィック関連情報を含む、ステップと、
ｂ．前記ローミング・トラフィック関連情報が第１の課金条件を満足する場合に、前記ユーザ機器の前記ローミング・トラフィック課金を実行するために、前記ユーザ機器に対応する代替ローミング・プロバイダのＯＣＳに前記ローミング・トラフィック課金要求を転送するステップであって、前記代替ローミング・プロバイダは、前記ユーザ機器のホーム・ネットワークに対応する、ステップと
を含む方法。
【請求項２】
前記第１の課金条件は、
前記ユーザ機器が、加盟国在圏ネットワークにローミングし、前記ユーザ機器の呼／ＳＭＳ／ＭＭＳ受信端も、前記加盟国在圏ネットワーク内に配置される、
前記ユーザ機器が、前記加盟国在圏ネットワークにローミングし、前記ユーザ機器が、前記呼／ＳＭＳ／ＭＭＳを受信する、
前記ユーザ機器が、前記加盟国在圏ネットワークにローミングし、前記ユーザ機器が、パケット・データ接続を有する
ことのうちの少なくとも１つを含み、前記加盟国在圏ネットワークおよび前記ユーザ機器の前記ホーム・ネットワークは、メンバ・プロトコルを有する、請求項１に記載の方法。
【請求項３】
前記ステップｂは、
前記ローミング・トラフィック関連情報が、前記第１の課金条件を満足する場合に、前記ユーザ機器に対応する前記代替ローミング・プロバイダの前記ＯＣＳのアドレス情報を判定するために、アドレス情報ベース内で一致照会を実行するステップと、
前記ユーザ機器の前記ローミング・トラフィック課金を実行するために、前記アドレス情報に基づいて前記代替ローミング・プロバイダの前記ＯＣＳに前記ローミング・トラフィック課金要求を転送するステップであって、前記代替ローミング・プロバイダは、前記ユーザ機器の前記ホーム・ネットワークに対応する、ステップと
を含む、請求項１または２に記載の方法。
【請求項４】
前記ステップｂは、
前記ローミング・トラフィック関連情報が、第２の課金条件を満足する場合に、前記ユーザ機器の前記ホーム・ネットワークの前記ＯＣＳ内で前記ユーザ機器の前記ローミング・トラフィック課金を実行するステップ
をさらに含み、前記第２の課金条件は、
前記ユーザ機器が、前記加盟国在圏ネットワークの外部の在圏ネットワークにローミングする、
前記ユーザ機器が、前記加盟国在圏ネットワークにローミングするが、前記ユーザ機器の前記呼／ＳＭＳ／ＭＭＳ受信端が、前記加盟国在圏ネットワークの外部の在圏ネットワーク内に配置される、
前記ユーザ機器が、コンテンツ・サービスにアクセスするために前記加盟国在圏ネットワークにローミングする
ことのうちの少なくとも１つを含み、前記加盟国在圏ネットワークおよび前記ユーザ機器の前記ホーム・ネットワークは、メンバ・プロトコルを有する、請求項１に記載の方法。
【請求項５】
代替ローミング・プロバイダで、ユーザ機器のローミング・トラフィック課金を実行する方法であって、前記代替ローミング・プロバイダは、前記ユーザ機器のホーム・ネットワークに対応し、
Ａ．ユーザ機器のローミング・トラフィック課金の実行に関するローミング・トラフィック課金要求を受信するステップであって、前記ローミング・トラフィック課金要求は、前記ユーザ機器のローミング・トラフィック関連情報を含む、ステップと、
Ｂ．前記ユーザ機器のローミング予約情報を入手するために、前記ローミング・トラフィック課金要求に基づいてユーザ・データベース内で一致照会を実行するステップと、
Ｃ．前記ローミング・トラフィック関連情報および前記ローミング予約情報に基づいて、前記ユーザ機器の前記ローミング・トラフィック課金を実行するステップと
を含む、方法。
【請求項６】
候補ユーザ機器の候補ローミング予約情報を入手するステップと、
前記候補ローミング予約情報に基づいて前記ユーザ・データベースを作成しまたは更新するステップと
をさらに含む、請求項５に記載の方法。
【請求項７】
前記候補ユーザ機器と前記代替ローミング・プロバイダとの間のマッピング関係に基づいて、アドレス情報ベースを作成しまたは更新するステップであって、前記アドレス情報ベースは、前記代替ローミング・プロバイダのＯＣＳのアドレス情報を格納する、ステップ
をさらに含む、請求項６に記載の方法。
【請求項８】
ユーザ機器のローミング・トラフィック課金を実行する装置であって、
前記ユーザ機器に関するローミング・トラフィック課金要求を受信するように構成された第１の受信デバイスであって、前記ユーザ機器は、在圏ネットワークにローミングし、前記ローミング・トラフィック課金要求は、前記ユーザ機器のローミング・トラフィック関連情報を含む、第１の受信デバイスと、
前記ローミング・トラフィック関連情報が第１の課金条件を満足する場合に、前記ユーザ機器の前記ローミング・トラフィック課金を実行するために、前記ユーザ機器に対応する代替ローミング・プロバイダのＯＣＳに前記ローミング・トラフィック課金要求を転送するように構成された要求転送デバイスであって、前記代替ローミング・プロバイダは、前記ユーザ機器のホーム・ネットワークに対応する、要求転送デバイスと
を含む装置。
【請求項９】
前記第１の課金条件は、
前記ユーザ機器が、加盟国在圏ネットワークにローミングし、前記ユーザ機器の呼／ＳＭＳ／ＭＭＳ受信端も、前記加盟国在圏ネットワーク内に配置される、
前記ユーザ機器が、前記加盟国在圏ネットワークにローミングし、前記ユーザ機器が、前記呼／ＳＭＳ／ＭＭＳを受信する、
前記ユーザ機器が、前記加盟国在圏ネットワークにローミングし、前記ユーザ機器が、パケット・データ接続を有する
ことのうちの少なくとも１つを含み、前記加盟国在圏ネットワークおよび前記ユーザ機器の前記ホーム・ネットワークは、メンバ・プロトコルを有する、請求項８に記載の装置。
【請求項１０】
前記要求転送デバイスは、
前記ローミング・トラフィック関連情報が、前記第１の課金条件を満足する場合に、前記ユーザ機器に対応する前記代替ローミング・プロバイダの前記ＯＣＳのアドレス情報を判定するために、アドレス情報ベース内で一致照会を実行し、
前記ユーザ機器の前記ローミング・トラフィック課金を実行するために、前記アドレス情報に基づいて前記代替ローミング・プロバイダの前記ＯＣＳに前記ローミング・トラフィック課金要求を転送し、前記代替ローミング・プロバイダは、前記ユーザ機器の前記ホーム・ネットワークに対応する
ように構成される、請求項８または９に記載の装置。
【請求項１１】
前記要求転送デバイスは、
前記ローミング・トラフィック関連情報が、第２の課金条件を満足する場合に、前記ユーザ機器の前記ホーム・ネットワークの前記ＯＣＳ内で前記ユーザ機器の前記ローミング・トラフィック課金を実行する
ようにさらに構成され、
をさらに含み、前記第２の課金条件は、
前記ユーザ機器が、前記加盟国在圏ネットワークの外部の在圏ネットワークにローミングする、
前記ユーザ機器が、前記加盟国在圏ネットワークにローミングするが、前記ユーザ機器の前記呼／ＳＭＳ／ＭＭＳ受信端が、前記加盟国在圏ネットワークの外部の在圏ネットワーク内に配置される、
前記ユーザ機器が、コンテンツ・サービスにアクセスするために前記加盟国在圏ネットワークにローミングする
ことのうちの少なくとも１つを含み、前記加盟国在圏ネットワークおよび前記ユーザ機器の前記ホーム・ネットワークは、メンバ・プロトコルを有する、請求項８に記載の装置。
【請求項１２】
代替ローミング・プロバイダで、ユーザ機器のローミング・トラフィック課金を実行する装置であって、前記代替ローミング・プロバイダは、前記ユーザ機器のホーム・ネットワークに対応し、
ユーザ機器のローミング・トラフィック課金の実行に関するローミング・トラフィック課金要求を受信するように構成された第２の受信デバイスであって、前記ローミング・トラフィック課金要求は、前記ユーザ機器のローミング・トラフィック関連情報を含む、第２の受信デバイスと、
前記ユーザ機器のローミング予約情報を入手するために、前記ローミング・トラフィック課金要求に基づいてユーザ・データベース内で一致照会を実行するように構成された情報照合デバイスと、
前記ローミング・トラフィック関連情報および前記ローミング予約情報に基づいて、前記ユーザ機器の前記ローミング・トラフィック課金を実行するように構成された課金処理デバイスと
を含む、装置。
【請求項１３】
候補ユーザ機器の候補ローミング予約情報を入手し、
前記候補ローミング予約情報に基づいて前記ユーザ・データベースを作成しまたは更新する
ように構成された第１の更新デバイスをさらに含む、請求項１２に記載の装置。
【請求項１４】
前記候補ユーザ機器と前記代替ローミング・プロバイダとの間のマッピング関係に基づいて、アドレス情報ベースを作成しまたは更新するように構成された第２の更新デバイスであって、前記アドレス情報ベースは、前記代替ローミング・プロバイダのＯＣＳのアドレス情報を格納する、第２の更新デバイス
をさらに含む、請求項１３に記載の装置。
【請求項１５】
請求項８乃至１１のいずれか１項に記載の装置を含む、ユーザ機器のローミング・トラフィック課金を実行するＯＣＳ。
【発明の詳細な説明】
【技術分野】
【０００１】
本発明は、通信技術の分野に関し、より具体的には、ＵＥのローミング・トラフィック課金を実行する技法に関する。
【背景技術】
【０００２】
２０１２年５月および６月に、欧州議会と、枢密院および欧州委員会の代表とは、休日行楽客およびビジネス・ユーザの利益に向けて国際ローミングの市場を根本的に変更する新しいＥＵ（欧州連合）ローミング・ルールに関する予備協定に達した。
【０００３】
２０１４年７月１日から、顧客は、同一の電話番号を保持しながら、国内モバイル・サービスの契約とは別に、より安価なモバイル・ローミング契約を結ぶオプションを有する。したがって、顧客は、ローミング・サービスを（他のモバイル・サービスとは独立に）簡単に比較し、より低い価格から利益を得ることができる。
【０００４】
欧州委員会は、国外の携帯電話ユーザに関するより多くの競争、より多くの選択肢、およびより低い価格を提唱する。この提唱は、モバイル・オペレータ（それ自体のネットワークを有しない、いわゆる仮想モバイル・オペレータを含む）に、他の加盟国内の他のオペレータのネットワークを統制された卸し価格で使用する権利をも与え、したがって、より多くのオペレータがローミング市場で競争することを奨励する。構造的手段が完全に有効になり、競争が小売り価格を引き下げるまでの期間をカバーするために、この提案は、音声サービスおよびテキスト・サービス（ＳＭＳ）に対する現在の小売り上限価格を徐々に引き下げ、モバイル・データ・サービスの新しい小売り上限価格を導入するはずである。
【０００５】
新しいＥＵローミング規制をサポートするために、ほとんどの欧州オペレータは、新しい規制をサポートする解決策を提案するように顧客に緊急に求めつつあり、したがって、人々は、２０１４年７月１日をもって即座に代替ローミング・プロバイダ（ａｌｔｅｒｎａｔｉｖｅ  ｒｏａｍｉｎｇ  ｐｒｏｖｉｄｅｒ、ＡＲＰ）を選択するオプションを有する。
【０００６】
現在、エンド・ユーザのローミング契約は、まだホーム・モバイル・ネットワーク・オペレータ（Ｈｏｍｅ  Ｍｏｂｉｌｅ  Ｎｅｔｗｏｒｋ  Ｏｐｅｒａｔｏｒ、Ｈ−ＭＶＯ）によって定義され、ローミング料金プランは、ホーム料金プランに密接にバンドルされる。
【０００７】
この現在のローミング課金解決策は、新しいＥＵ規制要件をサポートしない。新しいＥＵ規制要件として、モバイル・ローミング契約は国内モバイル・サービスの契約から分離されなければならず、一方、同一の電話番号を保持しながら、モバイル・ローミング・サービスおよび支払契約は、異なる代替ローミング・パートナから提供することができる。
【発明の概要】
【発明が解決しようとする課題】
【０００８】
本発明の目的は、ユーザ機器のローミング・トラフィック課金を実行する方法および装置を提供することである。
【課題を解決するための手段】
【０００９】
本発明の一態様によれば、ユーザ機器のローミング・トラフィック課金を実行する方法であって、
ａ．ユーザ機器に関するローミング・トラフィック課金要求を受信するステップであって、ユーザ機器は、在圏ネットワークにローミングし、ローミング・トラフィック課金要求は、ユーザ機器のローミング・トラフィック関連情報を含む、ステップと、
ｂ．ローミング・トラフィック関連情報が第１の課金条件を満足する場合に、ユーザ機器のローミング・トラフィック課金を実行するために、ユーザ機器に対応する代替ローミング・プロバイダのＯＣＳにローミング・トラフィック課金要求を転送するステップであって、代替ローミング・プロバイダは、ユーザ機器のホーム・ネットワークに対応する、ステップと
を含む方法が提供される。
【００１０】
本発明の別の態様によれば、代替ローミング・プロバイダで、ユーザ機器のローミング・トラフィック課金を実行する方法であって、代替ローミング・プロバイダは、ユーザ機器のホーム・ネットワークに対応し、
Ａ．ユーザ機器のローミング・トラフィック課金の実行に関するローミング・トラフィック課金要求を受信するステップであって、ローミング・トラフィック課金要求は、ユーザ機器のローミング・トラフィック関連情報を含む、ステップと、
Ｂ．ユーザ機器のローミング予約情報を入手するために、ローミング・トラフィック課金要求に基づいてユーザ・データベース内で一致照会を実行するステップと、
Ｃ．ローミング・トラフィック関連情報およびローミング予約情報に基づいて、ユーザ機器のローミング・トラフィック課金を実行するステップと
を含む、方法が提供される。
【００１１】
本発明のさらなる態様によれば、ユーザ機器のローミング・トラフィック課金を実行する装置であって、
ユーザ機器に関するローミング・トラフィック課金要求を受信するように構成された第１の受信デバイスであって、ユーザ機器は、在圏ネットワークにローミングし、ローミング・トラフィック課金要求は、ユーザ機器のローミング・トラフィック関連情報を含む、第１の受信デバイスと、
ローミング・トラフィック関連情報が第１の課金条件を満足する場合に、ユーザ機器のローミング・トラフィック課金を実行するために、ユーザ機器に対応する代替ローミング・プロバイダのＯＣＳにローミング・トラフィック課金要求を転送するように構成された要求転送デバイスであって、代替ローミング・プロバイダは、ユーザ機器のホーム・ネットワークに対応する、要求転送デバイスと
を含む装置がさらに提供される。
【００１２】
本発明のさらなる態様によれば、代替ローミング・プロバイダで、ユーザ機器のローミング・トラフィック課金を実行する装置であって、代替ローミング・プロバイダは、ユーザ機器のホーム・ネットワークに対応し、
ユーザ機器のローミング・トラフィック課金の実行に関するローミング・トラフィック課金要求を受信するように構成された第２の受信デバイスであって、ローミング・トラフィック課金要求は、ユーザ機器のローミング・トラフィック関連情報を含む、第２の受信デバイスと、
ユーザ機器のローミング予約情報を入手するために、ローミング・トラフィック課金要求に基づいてユーザ・データベース内で一致照会を実行するように構成された情報照合デバイスと、
ローミング・トラフィック関連情報およびローミング予約情報に基づいて、ユーザ機器のローミング・トラフィック課金を実行するように構成された課金処理デバイスと
を含む、装置がさらに提供される。
【００１３】
本発明のさらなる態様によれば、上で言及された装置を含む、ユーザ機器のローミング・トラフィック課金を実行するＯＣＳがさらに提供される。
【００１４】
従来技術と比較して、本発明は、ユーザ機器（ＵＥ）のローミング・トラフィック関連情報を判断する。第１の課金条件が満足される時に、ＵＥからのローミング・トラフィック課金要求は、ＵＥのローミング・トラフィック課金を実行するために使用可能である、ＵＥに対応する代替ローミング・プロバイダのＯＣＳに転送され、これによって、ユーザの使用経験の質が高められる。本発明は、ローミング料金に関する、新しいＥＵローミング規制に基づき、Ｈ−ＭＮＯとは独立の、代替ローミング・プロバイダをサポートするための革新的なオンライン課金解決策を提供する。本発明は、オペレータが、コア・ネットワークへの大きい影響を引き起こさずに、新しいＥＵローミング規制をサポートし、ＥＵ委員会の期待（特にタイムフレーム２０１４）のほとんどを満足することを可能にする。
【００１５】
添付図面を介して以下の非限定的な実施形態の詳細な説明を読むことを介して、本発明の他の特徴、目的、および利点がより明白になる。
【図面の簡単な説明】
【００１６】
【図１】本発明の一態様によるユーザ機器のローミング・トラフィック課金を実行する方法を示す流れ図である。
【図２】本発明の好ましい実施形態によるユーザ機器のローミング・トラフィック課金の実行を示す概略図である。
【図３】本発明の好ましい実施形態によるユーザ機器のローミング・トラフィック課金の実行を示す概略図である。
【図４】本発明の別の態様によるユーザ機器のローミング・トラフィック課金を実行する装置を示す概略図である。
【図５】ユーザ機器が呼を開始する伝統的な音声呼のシナリオを示す図である。
【図６】ユーザ機器が呼を開始する伝統的な音声呼のシナリオを示す図である。
【図７】ユーザ機器が呼び出される伝統的な音声呼のシナリオを示す図である。
【図８】ユーザ機器が呼び出される伝統的な音声呼のシナリオを示す図である。
【図９】ユーザ機器が呼を開始するか呼び出される、ＩＰマルチメディア・サブシステム・ボイス・オーバ・インターネット電話呼（ＩＭＳ  ＶｏＩＰ  Ｃａｌｌ）のシナリオを示す図である。
【図１０】ユーザ機器がショート・メッセージング・サービス（ＳＭＳ）を開始する／ＳＭＳが送信される／ＳＭＳ状況がユーザ機器に報告されるシナリオを示す図である。
【図１１】ユーザ機器がマルチメディア・メッセージング・サービス（ＭＭＳ）を開始する／ＭＭＳが送信される／ＭＭＳ状況がユーザ機器に報告されるシナリオを示す図である。
【図１２】ユーザ機器が在圏ネットワーク内でＬＴＥ／ＵＭＴＳ／ＧＰＲＳパケット・データを使用するシナリオを示す図である。
【発明を実施するための形態】
【００１７】
添付図面の同一の符号または同様の符号は、同一のコンポーネントまたは対応するコンポーネントを示す。
【００１８】
以下では、添付図面を参照して本発明をさらに詳細に示す。
【００１９】
図１に、本発明の一態様によるユーザ機器のローミング・トラフィック課金を実行する方法の流れ図を示す。
【００２０】
ステップＳ１０１では、装置１が、ＵＥに関するローミング・トラフィック課金要求を受信し、ＵＥは、在圏ネットワークにローミングし、ローミング・トラフィック課金要求は、ユーザ機器のローミング・トラフィック関連情報を含む。
【００２１】
ここで、装置１は、ユーザ機器１に対応するホーム公衆地上移動体通信網（ｈｏｍｅ  ｐｕｂｌｉｃ  ｌａｎｄ  ｍｏｂｉｌｅ  ｎｅｔｗｏｒｋ：ＨＰＬＭＮ）のＯＣＳ内にまたはホーム・ネットワークのＯＣＳとは独立に配置され得る。
【００２２】
たとえば、ＵＥは、在圏公衆地上移動体通信網（ｖｉｓｉｔｅｄ  ｐｕｂｌｉｃ  ｌａｎｄ  ｍｏｂｉｌｅ  ｎｅｔｗｏｒｋ：ＶＰＬＭＮ）にローミングする。装置１が、ＵＥ１に対応するホーム・ネットワークのＯＣＳ内に配置される時に、装置１は、在圏ネットワークから送信されたローミング・トラフィック課金要求を直接に受信し、たとえば、在圏移動交換センタ（ｖｉｓｉｔｅｄ  ｍｏｂｉｌｅ  ｓｗｉｔｃｈｉｎｇ  ｃｅｎｔｅｒ：Ｖ−ＭＳＣ）、ゲートウェイ移動交換センタ（ｇａｔｅｗａｙ  ｍｏｂｉｌｅ  ｓｗｉｔｃｈｉｎｇ  ｃｅｎｔｅｒ：Ｇ−ＭＳＣ）、サービング呼セッション制御機能（ｓｅｒｖｉｎｇ  ｃａｌｌ  ｓｅｓｓｉｏｎ  ｃｏｎｔｒｏｌ  ｆｕｎｃｔｉｏｎ：Ｓ−ＣＳＣＦ）、ショート・メッセージ・サービス・センタ（ｓｈｏｒｔ  ｍｅｓｓａｇｅ  ｓｅｒｖｉｃｅ  ｃｅｎｔｅｒ：ＳＭＳＣ）、マルチメディア・メッセージ・サービス・センタ（ｍｕｌｔｉｍｅｄｉａ  ｍｅｓｓａｇｅ  ｓｅｒｖｉｃｅ  ｃｅｎｔｅｒ：ＭＭＳＣ）、およびゲートウェイＧＰＲＳサポート・ノード（ｇａｔｅｗａｙ  ＧＰＲＳ  ｓｕｐｐｏｒｔ  ｎｏｄｅ：ＧＧＳＮ）／パケット・ゲートウェイ（ＰＧＷ）など、在圏ネットワーク内のネットワーク要素から送信されたローミング・トラフィック課金要求を受信し、ローミング・トラフィック課金要求は、ＵＥのローミング・トラフィック関連情報、たとえば、在圏ネットワーク内でＵＥによって実行される呼、ＳＭＳ、ＭＭＳ、またはパケット・データなどの情報を含む。
【００２３】
ここで、ローミング・トラフィック関連情報は、移動局ローミング番号（ＭＳＲＮ）、国際移動体加入者識別番号（ＩＭＳＩ）、移動局ＩＳＤＮ番号（ＭＳＩＳＤＮ）、着信発呼者電話番号、呼タイミング、ＳＭＳ、ＭＭＳ、またはパケット・データと、在圏ネットワーク内のユーザ機器の他の情報とを含むが、これらに限定はされない。
【００２４】
当業者は、上のローミング・トラフィック関連情報が、例にすぎず、他の既存のまたは将来のおそらくは進化するローミング・トラフィック関連情報が、本発明に適用可能である場合に、これも、参照によって本明細書に組み込まれる本発明の保護範囲に含まれなければならないことを理解すべきである。
【００２５】
別の例について、装置１が、ホーム・ネットワークＯＣＳとは独立である時にも、装置１は、在圏ネットワークから送信されたローミング・トラフィック課金要求を直接に受信することができ、たとえば、在圏ネットワーク内の上記のネットワーク要素のいずれかから送信されたローミング・トラフィック課金要求を受信し、ローミング・トラフィック課金要求は、ユーザ機器のローミング・トラフィック関連情報を含む。
【００２６】
ステップＳ１０２では、ローミング・トラフィック関連情報が、第１の課金条件を満足する場合に、装置１は、ユーザ機器のローミング・トラフィック課金を実行するために、ユーザ機器に対応する代替ローミング・プロバイダ（ＡＲＰ）のＯＣＳにローミング・トラフィック課金要求を転送し、代替ローミング・プロバイダは、ユーザ機器のホーム・ネットワークに対応し、第１の課金条件は、
−  ユーザ機器が、加盟国在圏ネットワークにローミングし、ユーザ機器の呼／ＳＭＳ／ＭＭＳ受信端も、加盟国在圏ネットワーク内に配置される、
−  ユーザ機器が、加盟国在圏ネットワークにローミングし、ユーザ機器が、呼／ＳＭＳ／ＭＭＳを受信する、
−  ユーザ機器が、加盟国在圏ネットワークにローミングし、ユーザ機器が、パケット・データ接続を有する
ことのうちの少なくとも１つを含み、加盟国在圏ネットワークおよびユーザ機器のホーム・ネットワークは、メンバ・プロトコルを有する。
【００２７】
ここで、メンバ・プロトコルは、たとえば、前述のＥＵローミング規制であり、加盟国在圏ネットワークは、たとえば、ＥＵローミング規制を満足する国のモバイル・ネットワークである。
【００２８】
ここで、図２に示されているように、代替ローミング・プロバイダ（ＡＲＰ）は、ユーザ機器のホーム・ネットワークに対応し、ホーム・ネットワークのオペレータは、異なる代替ローミング・プロバイダにローミング・サービスを卸し売りし、代替ローミング・プロバイダは、それ自体の名前の下で自分の利益のためにローミング・サービスをエンド・ユーザに再販売し、ホーム・ネットワークは、そのローミング・サービスをエンド・ユーザにも提供し、エンド・ユーザは、複数の代替ローミング・プロバイダおよびホーム・ネットワークからのローミング・サービスのうちの１つを選択し、たとえば最も安価なローミング・サービスを選択し、モバイル・エンド・ユーザは、それでも同一の番号を保持する、すなわち、エンド・ユーザがローミングしつつある時にモバイル端子デバイスおよび彼のＳＩＭカードを変更しない。
【００２９】
エンド・ユーザが、在圏ネットワークにローミングし、在圏ネットワーク内でローミング・サービスを使用する時に、在圏ネットワーク内のネットワーク要素は、ローミング・トラフィック課金要求を装置１に送信する。装置１は、ローミング・トラフィック課金要求を受信し、課金要求に含まれるローミング・トラフィック関連情報に基づいて、そのローミング・トラフィック課金要求をどのＯＣＳに転送するのか、たとえば、エンド・ユーザによって選択された代替ローミング・プロバイダのＯＣＳに転送するのか、あるいはエンド・ユーザのホーム・ネットワーク内のＯＣＳに転送するのかを判定する。たとえば、課金要求に含まれる在圏ネットワーク内のユーザ機器の呼／ＳＭＳ／ＭＭＳ受信端に基づいて、装置１は、受信端も、加盟国在圏ネットワーク内に配置されると判定し、装置１は、ローミング・トラフィック関連情報が、第１の課金条件を満足すると判断し、装置１が、ローミング・トラフィック課金要求をユーザ機器によって前もって選択された代替ローミング・プロバイダのＯＣＳに転送するようになり、別の例について、装置１が、課金要求に基づいて、ユーザ機器が加盟国在圏ネットワーク内で呼／ＳＭＳ／ＭＭＳを受信すると判定する場合には、第１の課金条件が満足されると判断され、別の例について、装置１が、課金要求に基づいて、ユーザ機器が加盟国在圏ネットワーク内でパケット・データ接続を有すると判定する場合には、第１の課金条件が満足されると判断される。
【００３０】
ローミング・トラフィック関連情報が、第１の課金条件を満足しない場合には、ローミング・トラフィック課金は、ユーザ機器のホーム・ネットワークのＯＣＳ内でユーザ機器に関して実行され、装置１がホーム・ネットワークのＯＣＳ内に配置される場合には、ホーム・ネットワークのＯＣＳが、ユーザ機器の課金を直接に実行し、装置１がホーム・ネットワークのＯＣＳとは独立である時には、装置１が、ユーザ機器のローミング・トラフィック課金を実行するために、ローミング・トラフィック課金要求をホーム・ネットワークのＯＣＳに転送する。
【００３１】
当業者は、上の第１の課金条件が、例にすぎず、他の既存のまたは将来のおそらくは進化する第１の課金条件が、本発明に適用可能である場合に、これも、参照によって本明細書に組み込まれる本発明の保護範囲に含まれなければならないことを理解すべきである。
【００３２】
ここで、代替ローミング・プロバイダのＯＣＳは、新しいＥＵローミング規制によって規制されるローミング・トラフィック、たとえば、前述の第１の課金条件を満足するローミング・トラフィックを管理し、課金する。したがって、代替ローミング・プロバイダは、エンド・ユーザにローミング課金ルールを提供することができ、たとえば、エンド・ユーザが他国にローミングする前に、ローミング・サービスは、まず、カスタマ・リレーションシップ・マネジメント（ＣＲＭ）システム／ユーザ・ウェブサイトから、たとえば５日ローミング契約、１０日ローミング契約などについて加入契約される。
【００３３】
ホーム・ネットワークのＯＣＳは、非ローミング・トラフィックおよび新しいＥＵ規制範囲の外のローミング・トラフィックを管理し、課金し、たとえば、欧州加入者が、米国にローミングしつつあり、または、別のＥＵ国内でローミングするＥＵ加入者が、別の非ＥＵ加入者に電話をかける。その種のローミング呼は、新しいＥＵ規制によって規制されないが、それでも、ホーム・ネットワークのＯＣＳ内で課金される。
【００３４】
好ましくは、ステップＳ１０２で、ローミング・トラフィック関連情報が、第１の課金条件を満足する場合に、装置１は、ユーザ機器に対応する代替ローミング・プロバイダのＯＣＳのアドレス情報を判定するために、アドレス情報ベース内で一致照会を実行し、ユーザ機器のローミング・トラフィック課金を実行するためにアドレス情報に基づいて代替ローミング・プロバイダのＯＣＳにローミング・トラフィック課金要求を転送し、この代替ローミング・プロバイダは、ユーザ機器のホーム・ネットワークに対応する。
【００３５】
具体的には、ステップＳ１０２で、ローミング・トラフィック関連情報が、第１の課金条件を満足する場合（すなわち、ユーザ機器が、加盟国在圏ネットワークにローミングし、ユーザ機器の呼／ＳＭＳ／ＭＭＳ受信端も、その加盟国在圏ネットワーク内に配置される時、または、ユーザ機器が加盟国在圏ネットワークにローミングし、ユーザ機器が呼／ＳＭＳ／ＭＭＳを受信する時、または、ユーザ機器が加盟国在圏ネットワークにローミングし、ユーザ機器がパケット・データ接続を有する時であって、加盟国在圏ネットワークおよびユーザ機器のホーム・ネットワークが、たとえば前述のＥＵローミング規制であるメンバ・プロトコルを有する時）に、装置１は、ユーザ機器の関連情報（たとえば、国際移動体加入者識別番号（ＩＭＳＩ）、移動局国際ＩＳＤＮ番号など）に基づいて、アドレス情報ベース（たとえば、Ｈ−ＭＮＯ端のＡＲＰデータベース内に格納される）内で一致照会を実行して、ユーザ機器に対応する代替ローミング・プロバイダのＯＣＳのアドレス情報を判定し、たとえば、在圏ネットワークにローミングする前にユーザ機器によって選択された代替ローミング・プロバイダに基づいてアドレス情報ベース内で一致照会を実行して、代替ローミング・プロバイダのＯＣＳのアドレス情報を判定し、その後、ユーザ機器のローミング・トラフィック課金を実行するために、アドレス情報に基づいて代替ローミング・プロバイダのＯＣＳにローミング・トラフィック課金要求を転送し、この代替ローミング・プロバイダは、ユーザ機器のホーム・ネットワークに対応する。
【００３６】
ここで、アドレス情報ベースは、ユーザ機器と代替ローミング・プロバイダとの間のマッピング関係、たとえば、ユーザ機器のＩＳＭＩと、移動局国際ＩＳＤＮ番号と、代替ローミング・プロバイダのＯＣＳアドレスとの間のマッピング関係を格納する。アドレス情報ベースは、たとえば、ユーザ機器に対応するホーム・ネットワーク内に配置され、ホーム・ネットワークによって管理され、端末ユーザの選択に基づく代替ローミング・プロバイダによって更新される。
【００３７】
たとえば、ユーザが、代替ローミング・プロバイダのローミング・サービスを選択する時に、本発明は、代替ローミング・プロバイダが、ホーム・ネットワーク内のアドレス情報ベース（たとえば、前述のＡＲＰデータベースに）対して端末ユーザの選択を更新することを可能にし、たとえば、エンド・ユーザに対応するユーザ機器のＩＭＳＩと移動局国際ＩＳＤＮ番号とならびに選択された代替ローミング・プロバイダのＯＣＳのアドレス情報などの情報を更新のためにＡＲＰデータベースに提供する。ユーザ機器のローミング・トラフィック課金要求内に含まれるローミング・トラフィック関連情報に基づいて、装置１は、ローミング・トラフィック課金要求がどのＡＲＰのＯＣＳにルーティングされるのか、または、ローミング・トラフィック課金要求がホーム・ネットワークのＯＣＳにルーティングされるのかを知る。
【００３８】
たとえば、図３に示されているように、端末ユーザが、ＥＵローミング国に旅行することを選択する時に、端末ユーザは、エンド・ユーザに最良のローミング・プランを提供する代替ローミング・プロバイダを選択し、エンド・ユーザは、代替ローミング・プロバイダのＣＲＭシステム／ユーザ・ウェブサイトからローミング・サービスをカスタマイズし、代替ローミング・プロバイダのＯＣＳ内のローミング・サービスは、ユーザのローミング予約および課金プラン（たとえば、５日ローミング契約、１０日ローミング契約）を指定し、代替ローミング・プロバイダのプロビジョニング・システムは、Ｈ−ＭＮＯのＡＲＰ管理システムに要求を送信し、Ｈ−ＭＮＯのＡＲＰ管理システムは、各ユーザによって選択された代替ローミング・プロバイダ、代替ローミング・プロバイダのＯＣＳのアドレス、ならびにローミング・サービスの開始期間および終了期間を保存するために、ＡＲＰデータベース（たとえば、前述のアドレス情報ベース）に供給し、その後、エンド・ユーザは、ＥＵ国への旅行を開始し、エンド・ユーザは、ＥＵローミング国内で電話をかけるか電話を受け、在圏ネットワークは、装置１（たとえば、Ｈ−ＭＮＯのＯＣＳ内の装置１またはＯＣＳとは独立の装置１）にエンド・ユーザに関するローミング・サービス課金要求を送信し、装置１は、ＡＲＰデータベース内でローミング・サービスを確認し、課金要求がどの代替ローミング・プロバイダのＯＣＳに転送されるのか、またはこれがホーム・ネットワークのＯＣＳに直接に送信されるのかを判定し、その後、課金要求は、代替ローミング・プロバイダのＯＣＳに転送され、またはホーム・ネットワークのＯＣＳに直接に送信される。
【００３９】
対応して、代替ローミング・プロバイダでは、装置２が、ユーザ機器のローミング・トラフィック課金を実行することに関するローミング・トラフィック課金要求を受信し、ローミング・トラフィック課金要求は、ユーザ機器のローミング・トラフィック関連情報を含み、ステップＳ１０３では、装置２が、ユーザ機器のローミング予約情報を入手するためにローミング・サービス課金要求に基づいてユーザ・データベース内で一致照会を実行し、ステップＳ１０４では、装置２が、ローミング・トラフィック関連情報とローミング予約情報とに基づいてユーザ機器のローミング・トラフィック課金を実行する。ここで、代替ローミング・プロバイダは、ユーザ機器のホーム・ネットワークに対応する。
【００４０】
具体的には、代替ローミング・プロバイダ内の装置２は、装置１によって転送されたローミング・トラフィック課金要求を受信する。ステップＳ１０３では、装置２は、ユーザ機器のローミング予約情報を入手するために、ローミング・トラフィック課金要求に基づいてユーザ・データベース内で一致照会を実行する。たとえば、装置２は、ローミング・トラフィック課金要求内に含まれる、移動局ローミング番号、ＩＭＳＩ、および在圏ネットワーク内のユーザ機器の移動局国際ＩＳＤＮ番号に基づいてユーザ・データベース内で一致照会を実行して、ユーザ機器によって選択されたローミング・パッケージ（たとえば、５日ローミング契約、１０日ローミング契約、および他のローミング予約情報）を判定し、その後、ステップＳ１０４では、装置２（たとえば、代替ローミング・プロバイダ内のＯＣＳ）は、ローミング・トラフィック課金要求内に含まれるローミング・トラフィック関連情報（たとえば、呼持続時間、ＳＭＳ、ＭＭＳ、パケット・データ、および他の情報）ならびにエンド・ユーザによって選択されたローミング・パッケージなどのローミング予約情報に基づいて、ユーザ機器のローミング・トラフィック課金を実行する（たとえば、ユーザ機器のアカウントで料金差引き処理を実行する）。
【００４１】
好ましくは、装置２がユーザ機器のローミング・トラフィック課金を実行した後に、装置２は、対応する課金結果情報（たとえば、アカウントからの料金差引き額、勘定残高、および他の情報）を入手し、その後、装置１との所定のインターフェース（たとえば、ＣＡＰインターフェース、ＤＣＣＡインターフェースなど）を介して装置１に課金結果情報を送信する。
【００４２】
ここで、ユーザ・データベースは、ＩＭＳＩと、ユーザ機器の移動局国際ＩＳＤＮ番号と、選択されたローミング・パッケージ情報との間のマッピング関係を格納し、エンド・ユーザによって選択されたローミング・パッケージに基づいてセットアップまたは更新を実行することができる。
【００４３】
本発明は、ローミング課金を実行するために、新しいＥＵローミング規制に基づき、Ｈ−ＭＮＯとは独立の代替ローミング・プロバイダをサポートする革新的なオンライン課金解決策を提供する。本発明は、コア・ネットワークへの大きい影響を引き起こさずに、オペレータが新しいＥＵ規制をサポートし、ＥＵ委員会の期待（特にタイムフレーム２０１４）のほとんどを満足することを可能にする。それと同時に、本発明は、コア・ネットワーク実施態様への影響を減らす。本発明は、ＣＡＭＥＬプロトコルを変更せず、これによって、コア・ネットワーク実施態様を大幅に単純化し、これは、この解決策を実施しやすいものにする。
【００４４】
別の好ましい実施形態では、ステップＳ１０２で、ローミング・トラフィック関連情報が、第２の課金条件を満足する場合に、ローミング・トラフィック課金が、ユーザ機器のホーム・ネットワークのＯＣＳ内でユーザ機器に対して実行され、第２の課金条件は、
−  ユーザ機器が、加盟国在圏ネットワークの外部の在圏ネットワークにローミングする、
−  ユーザ機器が、加盟国在圏ネットワークにローミングするが、ユーザ機器の呼／ＳＭＳ／ＭＭＳ受信端が、加盟国在圏ネットワークの外部の在圏ネットワーク内に配置される、
−  ユーザ機器が、コンテンツ・サービスにアクセスするために加盟国在圏ネットワークにローミングする
ことのうちの少なくとも１つを含む。
【００４５】
たとえば、装置１は、課金要求内に含まれるローミング・トラフィック関連情報に基づいて、ユーザ機器が、加盟国在圏ネットワークの外部の在圏ネットワークにローミングすること、または、ユーザ機器が加盟国在圏ネットワークにローミングするが、ユーザ機器の呼／ＳＭＳ／ＭＭＳ受信端が、加盟国在圏ネットワークの外部の在圏ネットワークに配置されること、または、ユーザ機器が加盟国在圏ネットワークにローミングするが、ユーザ機器が加盟国在圏ネットワーク内のコンテンツ・サービス（たとえば、ダウンロード、オンライン予約など）にアクセスすることを確認し、装置１は、第２の課金条件が満足されると判断し、ユーザ機器のホーム・ネットワーク内のＯＣＳは、ユーザ機器のローミング・トラフィック課金を実行する。
【００４６】
ここで、ユーザ機器がホーム・ネットワーク内に配置される時には、それでも、ユーザ機器の課金を実行するのは、ホーム・ネットワークのＯＣＳである。
【００４７】
ここで、装置１が、ホーム・ネットワークのＯＣＳ内に配置される時に、ローミング・トラフィック関連情報が第２の課金条件を満足する場合に、ホーム・ネットワークのＯＣＳは、ユーザ機器のローミング・トラフィック課金を直接に実行する。
【００４８】
装置１が、ホーム・ネットワークのＯＣＳとは独立である時に、ローミング・トラフィック関連情報が、第２の課金条件を満足する場合に、装置１は、ローミング・トラフィック課金要求をホーム・ネットワークのＯＣＳに転送し、ホーム・ネットワークのＯＣＳが、ユーザ機器の課金を実行するようになる。
【００４９】
当業者は、上の第２の課金条件が、例にすぎず、他の既存のまたは将来のおそらくは進化する第２の課金条件が、本発明に適用可能である場合に、これも、参照によって本明細書に組み込まれる本発明の保護範囲に含まれなければならないことを理解すべきである。
【００５０】
好ましくは、代替ローミング・プロバイダ内の装置２は、候補ユーザ機器の候補ローミング予約情報をも入手することができ、候補ローミング予約情報に基づいてユーザ・データベースを作成するか更新する。
【００５１】
具体的には、代替ローミング・プロバイダ内の装置２は、候補ユーザ機器の候補ローミング予約情報、たとえば、在圏ネットワークにローミングする前にエンド・ユーザによって選択されたローミング・パッケージおよび他の情報を入手する。装置２は、エンド・ユーザの選択に基づいて候補ローミング予約情報を判定し、その後、ユーザ・データベースのセットアップまたは更新を実現するためにユーザ・データベースに候補ローミング予約情報を格納する。
【００５２】
たとえば、エンド・ユーザが在圏ネットワークにローミングする前に、エンド・ユーザは、代替ローミング・プロバイダのＣＲＭシステム／ユーザ・ウェブサイトからローミング・サービス（たとえば、５日ローミング契約、１０日ローミング契約など）を予約する。装置２は、エンド・ユーザの選択に基づいて、エンド・ユーザに対応する候補ユーザ機器の候補ローミング予約情報を判定し、候補ローミング予約情報をユーザ・データベースに格納し、たとえば、ユーザ・データベースを作成するか更新するために、候補ローミング予約情報とＩＭＳＩ、候補ユーザ機器の移動局国際ＩＳＤＮ番号などとの間のマッピング関係をユーザ・データベースに格納する。
【００５３】
好ましくは、代替ローミング・プロバイダ内の装置２は、候補ユーザ機器と代替ローミング・プロバイダとの間のマッピング関係に基づいてアドレス情報ベースを作成するか更新し、アドレス情報ベースは、代替ローミング・プロバイダのＯＣＳのアドレス情報を格納する。
【００５４】
具体的に言うと、エンド・ユーザが、代替ローミング・プロバイダを選択する時に、代替ローミング・プロバイダは、アドレス情報ベースのセットアップおよび更新を実現するために、それとエンド・ユーザに対応する候補ユーザ機器との間のマッピング関係を即座に格納する。アドレス情報ベースは、たとえば、エンド・ユーザに対応するホーム・ネットワーク内に配置され、その後、装置２は、マッピング関係をアドレス情報ベース内に格納するために、エンド・ユーザの選択に基づいてホーム・ネットワークと通信し、これによって、アドレス情報ベースのセットアップおよび更新を実現する。
【００５５】
図４に、本発明の別の態様によるユーザ機器のローミング・トラフィック課金を実行する装置の概略図を示す。装置１は、第１の受信デバイス４０１と要求転送デバイス４０２とを含み、装置２は、第２の受信デバイス４０３、情報照合デバイス４０４、および課金処理デバイス４０５を含む。
【００５６】
装置１内の第１の受信デバイス４０１は、ＵＥに関するローミング・トラフィック課金要求を受信し、ＵＥは、在圏ネットワークにローミングし、ローミング・トラフィック課金要求は、ユーザ機器のローミング・トラフィック関連情報を含む。
【００５７】
ここで、装置１は、ユーザ機器１に対応するホーム公衆地上移動体通信網（ＨＰＬＭＮ）のＯＣＳ内に配置されるか、ホーム・ネットワークのＯＣＳとは独立とすることができる。
【００５８】
たとえば、ＵＥは、在圏公衆地上移動体通信網（ＶＰＬＭＮ）にローミングする。装置１が、ＵＥ１に対応するホーム・ネットワークのＯＣＳ内に配置される時に、装置１内の第１の受信デバイス４０１は、在圏ネットワークから送信されたローミング・トラフィック課金要求を直接に受信し、たとえば、在圏移動交換センタ（Ｖ−ＭＳＣ）、ゲートウェイ移動交換センタ（Ｇ−ＭＳＣ）、サービング呼セッション制御機能（Ｓ−ＣＳＣＦ）、ショート・メッセージ・サービス・センタ（ＳＭＳＣ）、マルチメディア・メッセージ・サービス・センタ（ＭＭＳＣ）、およびゲートウェイＧＰＲＳサポート・ノード（ＧＧＳＮ）／パケット・ゲートウェイ（ＰＧＷ）など、在圏ネットワーク内のネットワーク要素から送信されたローミング・トラフィック課金要求を受信し、ローミング・トラフィック課金要求は、ＵＥのローミング・トラフィック関連情報、たとえば、在圏ネットワーク内でＵＥによって実行される呼、ＳＭＳ、ＭＭＳ、またはパケット・データなどの情報を含む。
【００５９】
ここで、ローミング・トラフィック関連情報は、移動局ローミング番号（ＭＳＲＮ）、国際移動体加入者識別番号（ＩＭＳＩ）、移動局ＩＳＤＮ番号（ＭＳＩＳＤＮ）、着信発呼者電話番号、呼タイミング、ＳＭＣ、ＭＭＳ、またはパケット・データと、在圏ネットワーク内のユーザ機器の他の情報とを含むが、これらに限定はされない。
【００６０】
当業者は、上のローミング・トラフィック関連情報が、例にすぎず、他の既存のまたは将来のおそらくは進化するローミング・トラフィック関連情報が、本発明に適用可能である場合に、これも、参照によって本明細書に組み込まれる本発明の保護範囲に含まれなければならないことを理解すべきである。
【００６１】
別の例について、装置１が、ホーム・ネットワークＯＣＳとは独立である時にも、装置１内の第１の受信デバイス４０１は、在圏ネットワークから送信されたローミング・トラフィック課金要求を直接に受信することができ、たとえば、在圏ネットワーク内の上記のネットワーク要素のいずれかから送信されたローミング・トラフィック課金要求を受信し、ローミング・トラフィック課金要求は、ユーザ機器のローミング・トラフィック関連情報を含む。
【００６２】
ローミング・トラフィック関連情報が、第１の課金条件を満足する場合に、装置１内の要求転送デバイス４０２は、ユーザ機器のローミング・トラフィック課金を実行するために、ユーザ機器に対応する代替ローミング・プロバイダ（ＡＲＰ）のＯＣＳにローミング・トラフィック課金要求を転送し、代替ローミング・プロバイダは、ユーザ機器のホーム・ネットワークに対応し、第１の課金条件は、
−  ユーザ機器が、加盟国在圏ネットワークにローミングし、ユーザ機器の呼／ＳＭＳ／ＭＭＳ受信端も、加盟国在圏ネットワーク内に配置される、
−  ユーザ機器が、加盟国在圏ネットワークにローミングし、ユーザ機器が、呼／ＳＭＳ／ＭＭＳを受信する、
−  ユーザ機器が、加盟国在圏ネットワークにローミングし、ユーザ機器が、パケット・データ接続を有する
ことのうちの少なくとも１つを含み、加盟国在圏ネットワークおよびユーザ機器のホーム・ネットワークは、メンバ・プロトコルを有する。
【００６３】
ここで、メンバ・プロトコルは、たとえば、前述のＥＵローミング規制であり、加盟国在圏ネットワークは、たとえば、ＥＵローミング規制を満足する国のモバイル・ネットワークである。
【００６４】
ここで、図２に示されているように、代替ローミング・プロバイダ（ＡＲＰ）は、ユーザ機器のホーム・ネットワークに対応し、ホーム・ネットワークのオペレータは、異なる代替ローミング・プロバイダにローミング・サービスを卸し売りし、代替ローミング・プロバイダは、それ自体の名前の下で自分の利益のためにローミング・サービスをエンド・ユーザに再販売し、ホーム・ネットワークは、そのローミング・サービスをエンド・ユーザにも提供し、エンド・ユーザは、複数の代替ローミング・プロバイダおよびホーム・ネットワークからのローミング・サービスのうちの１つを選択し、たとえば最も安価なローミング・サービスを選択し、モバイル・エンド・ユーザは、それでも同一の番号を保持する、すなわち、エンド・ユーザがローミングしつつある時にモバイル端子デバイスおよび彼のＳＩＭカードを変更しない。
【００６５】
エンド・ユーザが、在圏ネットワークにローミングし、在圏ネットワーク内でローミング・サービスを使用する時に、在圏ネットワーク内のネットワーク要素は、ローミング・トラフィック課金要求を装置１に送信する。装置１は、ローミング・トラフィック課金要求を受信し、課金要求に含まれるローミング・トラフィック関連情報に基づいて、そのローミング・トラフィック課金要求をどのＯＣＳに転送するのか、たとえば、エンド・ユーザによって選択された代替ローミング・プロバイダのＯＣＳに転送するのか、あるいはエンド・ユーザのホーム・ネットワーク内のＯＣＳに転送するのかを判定する。たとえば、課金要求に含まれる在圏ネットワーク内のユーザ機器の呼／ＳＭＳ／ＭＭＳ受信端に基づいて、装置１は、受信端も、加盟国在圏ネットワーク内に配置されると判定し、装置１は、ローミング・トラフィック関連情報が、第１の課金条件を満足すると判断し、装置１が、ローミング・トラフィック課金要求をユーザ機器によって前もって選択された代替ローミング・プロバイダのＯＣＳに転送するようになり、別の例について、装置１が、課金要求に基づいて、ユーザ機器が加盟国在圏ネットワーク内で呼／ＳＭＳ／ＭＭＳを受信すると判定する場合には、第１の課金条件が満足されると判断され、別の例について、装置１が、課金要求に基づいて、ユーザ機器が加盟国在圏ネットワーク内でパケット・データ接続を有すると判定する場合には、第１の課金条件が満足されると判断される。
【００６６】
ローミング・トラフィック関連情報が、第１の課金条件を満足しない場合には、ローミング・トラフィック課金は、ユーザ機器のホーム・ネットワークのＯＣＳ内でユーザ機器に関して実行され、装置１がホーム・ネットワークのＯＣＳ内に配置される場合には、ホーム・ネットワークのＯＣＳが、ユーザ機器の課金を直接に実行し、装置１がホーム・ネットワークのＯＣＳとは独立である時には、装置１が、ユーザ機器のローミング・トラフィック課金を実行するために、ローミング・トラフィック課金要求をホーム・ネットワークのＯＣＳに転送する。
【００６７】
当業者は、上の第１の課金条件が、例にすぎず、他の既存のまたは将来のおそらくは進化する第１の課金条件が、本発明に適用可能である場合に、これも、参照によって本明細書に組み込まれる本発明の保護範囲に含まれなければならないことを理解すべきである。
【００６８】
ここで、代替ローミング・プロバイダのＯＣＳは、新しいＥＵローミング規制によって規制されるローミング・トラフィック、たとえば、前述の第１の課金条件を満足するローミング・トラフィックを管理し、課金する。したがって、代替ローミング・プロバイダは、エンド・ユーザにローミング課金ルールを提供することができ、たとえば、エンド・ユーザが他国にローミングする前に、ローミング・サービスは、まず、カスタマ・リレーションシップ・マネジメント（ＣＲＭ）システム／ユーザ・ウェブサイトから、たとえば５日ローミング契約、１０日ローミング契約などについて加入契約される。
【００６９】
ホーム・ネットワークのＯＣＳは、非ローミング・トラフィックおよび新しいＥＵ規制範囲の外のローミング・トラフィックを管理し、課金し、たとえば、欧州加入者が、米国にローミングしつつあり、または、別のＥＵ国内でローミングするＥＵ加入者が、別の非ＥＵ加入者に電話をかける。その種のローミング呼は、新しいＥＵ規制によって規制されないが、それでも、ホーム・ネットワークのＯＣＳ内で課金される。
【００７０】
好ましくは、ローミング・トラフィック関連情報が、第１の課金条件を満足する場合に、装置１内の要求転送デバイス４０２は、ユーザ機器に対応する代替ローミング・プロバイダのＯＣＳのアドレス情報を判定するために、アドレス情報ベース内で一致照会を実行し、ユーザ機器のローミング・トラフィック課金を実行するためにアドレス情報に基づいて代替ローミング・プロバイダのＯＣＳにローミング・トラフィック課金要求を転送し、この代替ローミング・プロバイダは、ユーザ機器のホーム・ネットワークに対応する。
【００７１】
具体的には、ローミング・トラフィック関連情報が、第１の課金条件を満足する場合（すなわち、ユーザ機器が加盟国在圏ネットワークにローミングし、ユーザ機器の呼／ＳＭＳ／ＭＭＳ受信端も加盟国在圏ネットワーク内に配置されるか、ユーザ機器が加盟国在圏ネットワークにローミングし、ユーザ機器が呼／ＳＭＳ／ＭＭＳを受信するか、ユーザ機器が加盟国在圏ネットワークにローミングし、ユーザ機器がパケット・データ接続を有する時であって、加盟国在圏ネットワークおよびユーザ機器のホーム・ネットワークが、たとえば前述のＥＵローミング規制であるメンバ・プロトコルを有する時）に、装置１内の要求転送デバイス４０２は、たとえば、代替ローミング・プロバイダのＯＣＳのアドレス情報を判定するために在圏ネットワークにローミングする前にユーザ機器によって選択された代替ローミング・プロバイダに基づいてアドレス情報ベース内の一致照会を実行する、ユーザ機器に対応する代替ローミング・プロバイダのＯＣＳのアドレス情報を判定するために、ユーザ機器の関連情報に基づいて（たとえば、国際移動体加入者識別番号（ＩＭＳＩ）、移動局国際ＩＳＤＮ番号など）に基づいて、アドレス情報ベース（たとえば、Ｈ−ＭＮＯ端のＡＲＰデータベース内に格納される）内で一致照会を実行し、そのユーザ機器のローミング・トラフィック課金を実行するために、アドレス情報に基づいて、ローミング・トラフィック課金要求を代替ローミング・プロバイダのＯＣＳに転送し、この代替ローミング・プロバイダは、ユーザ機器のホーム・ネットワークに対応する。
【００７２】
ここで、アドレス情報ベースは、ユーザ機器と代替ローミング・プロバイダとの間のマッピング関係、たとえば、ユーザ機器のＩＳＭＩと、移動局国際ＩＳＤＮ番号と、代替ローミング・プロバイダのＯＣＳアドレスとの間のマッピング関係を格納する。アドレス情報ベースは、たとえば、ユーザ機器に対応するホーム・ネットワーク内に配置され、ホーム・ネットワークによって管理され、端末ユーザの選択に基づく代替ローミング・プロバイダによって更新される。
【００７３】
たとえば、ユーザが、代替ローミング・プロバイダのローミング・サービスを選択する時に、本発明は、代替ローミング・プロバイダが、ホーム・ネットワーク内のアドレス情報ベース（たとえば、前述のＡＲＰデータベース）に対して端末ユーザの選択を更新することを可能にし、たとえば、エンド・ユーザに対応するユーザ機器のＩＭＳＩと移動局国際ＩＳＤＮ番号とならびに選択された代替ローミング・プロバイダのＯＣＳのアドレス情報などの情報を更新のためにＡＲＰデータベースに提供する。ユーザ機器のローミング・トラフィック課金要求内に含まれるローミング・トラフィック関連情報に基づいて、装置１は、ローミング・トラフィック課金要求がどのＡＲＰのＯＣＳにルーティングされるのか、または、ローミング・トラフィック課金要求がホーム・ネットワークのＯＣＳにルーティングされるのかを知る。
【００７４】
たとえば、図３に示されているように、端末ユーザが、ＥＵローミング国に旅行することを選択する時に、端末ユーザは、エンド・ユーザに最良のローミング・プランを提供する代替ローミング・プロバイダを選択し、エンド・ユーザは、代替ローミング・プロバイダのＣＲＭシステム／ユーザ・ウェブサイトからローミング・サービスをカスタマイズし、代替ローミング・プロバイダのＯＣＳ内のローミング・サービスは、ユーザのローミング予約および課金プラン（たとえば、５日ローミング契約、１０日ローミング契約）を指定し、代替ローミング・プロバイダのプロビジョニング・システムは、Ｈ−ＭＮＯのＡＲＰ管理システムに要求を送信し、Ｈ−ＭＮＯのＡＲＰ管理システムは、各ユーザによって選択された代替ローミング・プロバイダ、代替ローミング・プロバイダのＯＣＳのアドレス、ならびにローミング・サービスの開始期間および終了期間を保存するために、ＡＲＰデータベース（たとえば、前述のアドレス情報ベース）に供給し、その後、エンド・ユーザは、ＥＵ国への旅行を開始し、エンド・ユーザは、ＥＵローミング国内で電話をかけるか電話を受け、在圏ネットワークは、装置１（たとえば、Ｈ−ＭＮＯのＯＣＳ内の装置１またはＯＣＳとは独立の装置１）にエンド・ユーザに関するローミング・サービス課金要求を送信し、装置１は、ＡＲＰデータベース内でローミング・サービスを確認し、課金要求がどの代替ローミング・プロバイダのＯＣＳに転送されるのか、またはこれがホーム・ネットワークのＯＣＳに直接に送信されるのかを判定し、その後、課金要求は、代替ローミング・プロバイダのＯＣＳに転送され、またはホーム・ネットワークのＯＣＳに直接に送信される。
【００７５】
対応して、代替ローミング・プロバイダでは、装置２内の第２の受信デバイス４０３が、ユーザ機器のローミング・トラフィック課金を実行することに関するローミング・トラフィック課金要求を受信し、ローミング・トラフィック課金要求は、ユーザ機器のローミング・トラフィック関連情報を含み、装置２内の情報照合デバイス４０４は、ユーザ機器のローミング予約情報を入手するためにローミング・サービス課金要求に基づいてユーザ・データベース内で一致照会を実行し、装置２内の課金処理デバイス４０５は、ローミング・トラフィック関連情報とローミング予約情報とに基づいてユーザ機器のローミング・トラフィック課金を実行する。ここで、代替ローミング・プロバイダは、ユーザ機器のホーム・ネットワークに対応する。
【００７６】
具体的には、代替ローミング・プロバイダ内の装置２内の第２の受信デバイス４０３は、装置１内の要求転送デバイス４０２によって転送されたローミング・トラフィック課金要求を受信する。その後、装置２内の情報照合デバイス４０４が、ユーザ機器のローミング予約情報を入手するために、ローミング・トラフィック課金要求に基づいてユーザ・データベース内で一致照会を実行する。たとえば、装置２は、ローミング・トラフィック課金要求内に含まれる、移動局ローミング番号、ＩＭＳＩ、および在圏ネットワーク内のユーザ機器の移動局国際ＩＳＤＮ番号に基づいてユーザ・データベース内で一致照会を実行して、ユーザ機器によって選択されたローミング・パッケージ（たとえば、５日ローミング契約、１０日ローミング契約、および他のローミング予約情報）を判定し、その後、装置２内の課金処理デバイス４０５（たとえば、代替ローミング・プロバイダ内のＯＣＳ）は、ローミング・トラフィック課金要求内に含まれるローミング・トラフィック関連情報（たとえば、呼持続時間、ＳＭＳ、ＭＭＳ、パケット・データ、および他の情報）ならびにエンド・ユーザによって選択されたローミング・パッケージなどのローミング予約情報に基づいて、ユーザ機器のローミング・トラフィック課金を実行する（たとえば、ユーザ機器のアカウントで料金差引き処理を実行する）。
【００７７】
好ましくは、装置２がユーザ機器のローミング・トラフィック課金を実行した後に、装置２は、対応する課金結果情報（たとえば、アカウントからの料金差引き額、勘定残高、および他の情報）を入手し、その後、装置１との所定のインターフェース（たとえば、ＣＡＰインターフェース、ＤＣＣＡインターフェースなど）を介して装置１に課金結果情報を送信する。
【００７８】
ここで、ユーザ・データベースは、ＩＭＳＩと、ユーザ機器の移動局国際ＩＳＤＮ番号と、選択されたローミング・パッケージ情報との間のマッピング関係を格納し、エンド・ユーザによって選択されたローミング・パッケージに基づいてセットアップまたは更新を実行することができる。
【００７９】
本発明は、ローミング課金を実行するために、新しいＥＵローミング規制に基づき、Ｈ−ＭＮＯとは独立の代替ローミング・プロバイダをサポートする革新的なオンライン課金解決策を提供する。本発明は、コア・ネットワークへの大きい影響を引き起こさずに、オペレータが新しいＥＵ規制をサポートし、ＥＵ委員会の期待（特にタイムフレーム２０１４）のほとんどを満足することを可能にする。それと同時に、本発明は、コア・ネットワーク実施態様への影響を減らす。本発明は、ＣＡＭＥＬプロトコルを変更せず、これによって、コア・ネットワーク実施態様を大幅に単純化し、これは、この解決策を実施しやすいものにする。
【００８０】
別の好ましい実施形態では、ローミング・トラフィック関連情報が、第２の課金条件を満足する場合に、ローミング・トラフィック課金が、ユーザ機器のホーム・ネットワークのＯＣＳ内で実行され、第２の課金条件は、
−  ユーザ機器が、加盟国在圏ネットワークの外部の在圏ネットワークにローミングする、
−  ユーザ機器が、加盟国在圏ネットワークにローミングするが、ユーザ機器の呼／ＳＭＳ／ＭＭＳ受信端が、加盟国在圏ネットワークの外部の在圏ネットワーク内に配置される、
−  ユーザ機器が、コンテンツ・サービスにアクセスするために加盟国在圏ネットワークにローミングする
ことのうちの少なくとも１つを含む。
【００８１】
たとえば、装置１は、課金要求内に含まれるローミング・トラフィック関連情報に基づいて、ユーザ機器が、加盟国在圏ネットワークの外部の在圏ネットワークにローミングすること、または、ユーザ機器が加盟国在圏ネットワークにローミングするが、ユーザ機器の呼／ＳＭＳ／ＭＭＳ受信端が、加盟国在圏ネットワークの外部の在圏ネットワークに配置されること、または、ユーザ機器が加盟国在圏ネットワークにローミングするが、ユーザ機器が加盟国在圏ネットワーク内のコンテンツ・サービス（たとえば、ダウンロード、オンライン予約など）にアクセスすることを確認し、装置１は、第２の課金条件が満足されると判断し、ユーザ機器のホーム・ネットワーク内のＯＣＳは、ユーザ機器のローミング・トラフィック課金を実行する。
【００８２】
ここで、ユーザ機器がホーム・ネットワーク内に配置される時には、それでも、ユーザ機器の課金を実行するのは、ホーム・ネットワークのＯＣＳである。
【００８３】
ここで、装置１が、ホーム・ネットワークのＯＣＳ内に配置される時に、ローミング・トラフィック関連情報が第２の課金条件を満足する場合に、ホーム・ネットワークのＯＣＳは、ユーザ機器のローミング・トラフィック課金を直接に実行する。
【００８４】
装置１が、ホーム・ネットワークのＯＣＳとは独立である時に、ローミング・トラフィック関連情報が、第２の課金条件を満足する場合に、装置１は、ローミング・トラフィック課金要求をホーム・ネットワークのＯＣＳに転送し、ホーム・ネットワークのＯＣＳが、ユーザ機器の課金を実行するようになる。
【００８５】
当業者は、上の第２の課金条件が、例にすぎず、他の既存のまたは将来のおそらくは進化する第２の課金条件が、本発明に適用可能である場合に、これも、参照によって本明細書に組み込まれる本発明の保護範囲に含まれなければならないことを理解すべきである。
【００８６】
好ましくは、代替ローミング・プロバイダ内の装置２は、第１の更新するデバイス（図示せず）をも含む。第１の更新するデバイスは、候補ユーザ機器の候補ローミング予約情報を入手し、候補ローミング予約情報に基づいてユーザ・データベースを作成しまたは更新する。
【００８７】
具体的には、代替ローミング・プロバイダ内の装置２内の第１の更新するデバイスは、候補ユーザ機器の候補ローミング予約情報、たとえば、在圏ネットワークへローミングする前のエンド・ユーザによって選択されたローミング・パッケージおよび他の情報を入手する。第１の更新するデバイスは、エンド・ユーザの選択に基づいて候補ローミング予約情報を判定し、ユーザ・データベースのセットアップまたは更新を実現するために、候補ローミング予約情報をユーザ・データベースに格納する。
【００８８】
たとえば、エンド・ユーザが在圏ネットワークにローミングする前に、エンド・ユーザは、代替ローミング・プロバイダのＣＲＭシステム／ユーザ・ウェブサイトからローミング・サービス（たとえば、５日ローミング契約、１０日ローミング契約、その他）を予約する。装置２内の第１の更新するデバイスは、エンド・ユーザの選択に基づいてエンド・ユーザに対応する候補ユーザ機器の候補ローミング予約情報を判定し、ユーザ・データベースを作成するか更新するために、候補ローミング予約情報をユーザ・データベースに格納し、たとえば、候補ローミング予約情報とＩＭＳＩ、候補ユーザ機器の移動局国際ＩＳＤＮ番号などとの間のマッピング関係をユーザ・データベースに格納する。
【００８９】
好ましくは、代替ローミング・プロバイダ内の装置２は、第２の更新するデバイス（図示せず）をも含む。第２の更新するデバイスは、候補ユーザ機器と代替ローミング・プロバイダとの間のマッピング関係に基づいてアドレス情報ベースを作成するか更新し、アドレス情報ベースは、代替ローミング・プロバイダのＯＣＳのアドレス情報を格納する。
【００９０】
具体的に言うと、エンド・ユーザが代替ローミング・プロバイダを選択する時に、代替ローミング・プロバイダ内の装置内の第２の更新するデバイスは、アドレス情報ベースのセットアップおよび更新を実現するために、それとエンド・ユーザに対応する候補ユーザ機器との間のマッピング関係を即座に格納する。アドレス情報ベースは、たとえば、エンド・ユーザに対応するホーム・ネットワーク内に配置され、その後、装置２内の第２の更新するデバイスは、マッピング関係をアドレス情報ベースに格納するために、エンド・ユーザの選択に基づいてホーム・ネットワークと通信し、これによって、アドレス情報ベースのセットアップおよび更新を実現する。
【００９１】
図５〜１２に、新しいＥＵローミング規制によって規制される異なるローミング・トラフィック・シナリオの概略図を示す。
【００９２】
図５に、ユーザ機器が呼を開始する伝統的な音声呼のシナリオを示す。
【００９３】
ここで、装置１と装置２との間のインターフェースは、ＣＡＰインターフェースに基づき、あるいは、装置１がホーム・ネットワークのＯＣＳ内に配置され、装置２が代替ローミング・プロバイダのＯＣＳ内に配置される時に、代替ローミング・プロバイダのＯＣＳとホーム・ネットワークＯＣＳとの間のインターフェースは、ＣＡＰインターフェースに基づく。ユーザ機器の在圏ネットワーク内のネットワーク要素、すなわち、在圏移動交換センタ（Ｖ−ＭＳＣ）は、装置１にローミング・トラフィック課金要求を送信し、ローミング・トラフィック課金要求は、在圏ネットワーク内のユーザ機器のローミング・トラフィック関連情報を含み、装置１は、ユーザ機器のローミング・トラフィック課金を実行するためにユーザ機器を妥当性検査し、ＯＣＳを判定するために、ローミング・トラフィック課金要求に基づいてＡＲＰデータベース（すなわち、前述のアドレス情報ベース）内で一致照会を実行し、ＡＲＰデータベースは、装置１に、ユーザ機器のローミング・トラフィック課金を実行するための代替ローミング・プロバイダのＯＣＳのアドレス情報を返し、装置１は、ＣＡＰインターフェースに基づいてアドレス情報に従って代替ローミング・プロバイダの装置２にローミング・トラフィック課金要求を転送し、ローミング・トラフィック課金要求は、在圏ネットワーク内でのユーザ機器のローミング・トラフィック関連情報を含み、代替ローミング・プロバイダのＯＣＳは、ユーザ機器の課金を実行し、ＣＡＰインターフェースに基づいて装置１に課金結果情報を返し、装置１は、在圏ネットワーク内の在圏モバイル・スイッチング・センタに課金結果情報を返す。
【００９４】
ここで、装置１は、ユーザ機器１に対応するホーム・ネットワークのＯＣＳ内に配置され得、あるいは、ホーム・ネットワークのＯＣＳとは独立であり得る。
【００９５】
図６〜１２の課金処理は、図５に示された処理と同一であるか実質的に同一であり、したがって、本明細書で詳細には説明されないが、参照によって本明細書に組み込まれる。
【００９６】
図６に、ユーザ機器が呼を開始する伝統的な音声呼のシナリオを示し、ここで代替ローミング・プロバイダＯＣＳと装置１との間のインターフェースは、ＤＣＣＡインターフェースに基づく。
【００９７】
図７に、ユーザ機器が呼び出される伝統的な音声呼のシナリオを示し、ここで代替ローミング・プロバイダＯＣＳと装置１との間のインターフェースは、ＣＡＰインターフェースに基づき、ユーザ機器の在圏ネットワーク内のネットワーク要素すなわちＧａｔｅｗａｙ−Ｍｏｂｉｌｅ  Ｓｗｉｔｃｈｉｎｇ  Ｃｅｎｔｅｒ（Ｇ−ＭＳＣ）は、装置１にローミング・トラフィック課金要求を送信する。
【００９８】
図８に、ユーザ機器が呼び出される伝統的な音声呼のシナリオを示し、ここで代替ローミング・プロバイダＯＣＳと装置１との間のインターフェースは、ＤＣＣＡインターフェースに基づき、ユーザ機器の在圏ネットワーク内のネットワーク要素すなわちＧａｔｅｗａｙ−Ｍｏｂｉｌｅ  Ｓｗｉｔｃｈｉｎｇ  Ｃｅｎｔｅｒ  （Ｇ−ＭＳＣ）は、装置１にローミング・トラフィック課金要求を送信する。
【００９９】
図９に、ユーザ機器が呼を開始するか呼び出される、ＩＰマルチメディア・サブシステム・ボイス・オーバ・インターネット電話呼（ＩＭＳ  ＶｏＩＰ  Ｃａｌｌ）のシナリオを示し、ここでユーザ機器の在圏ネットワーク内のネットワーク要素すなわちｓｅｒｖｉｃｅ  ｃａｌｌ  ｓｅｓｓｉｏｎ  ｃｏｎｒｏｌ  ｆｕｎｃｔｉｏｎ（Ｓ−ＣＳＣＦ）は、装置１にローミング・トラフィック課金要求を送信する。
【０１００】
図１０に、ユーザ機器がショート・メッセージング・サービス（ＳＭＳ）を開始する／ＳＭＳが送信される／ＳＭＳ状況がユーザ機器に報告されるシナリオを示し、ここで、ユーザ機器の在圏ネットワーク内のネットワーク要素すなわちショート・メッセージ・サービス・センタ（ＳＭＳＣ）は、装置１にローミング・トラフィック課金要求を送信する。
【０１０１】
図１１に、ユーザ機器がマルチメディア・メッセージング・サービス（ＭＭＳ）を開始する／ＭＭＳが送信される／ＭＭＳ状況がユーザ機器に報告されるシナリオを示し、ここでユーザ機器の在圏ネットワーク内のネットワーク要素すなわちマルチメディア・メッセージ・サービス・センタ（ＭＭＳＣ）は、装置１にローミング・トラフィック課金要求を送信する。
【０１０２】
図１２に、ユーザ機器が在圏ネットワーク内でＬＴＥ／ＵＭＴＳ／ＧＰＲＳパケット・データを使用するシナリオを示し、ここでユーザ機器の在圏ネットワーク内のネットワーク要素すなわちゲートウェイＧＰＲＳサポート・ノード（ＧＧＳＮ）／パケット・ゲートウェイ（ＰＧＷ）は、装置１にローミング・トラフィック課金要求を送信する。
【０１０３】
本発明を、ソフトウェアおよび／またはソフトウェアとハードウェアとの組合せで実施することができ、たとえば、特定用途向け集積回路ＡＳＩＣ、汎用コンピュータ、または任意の他の類似するハードウェア・デバイスによって実施することができる。一実施形態では、本発明のソフトウェア・プログラムを、上で述べられたステップまたは機能を実施するためにプロセッサを介して実行することができる。同様に、本発明のソフトウェア・プログラム（関連するデータ構造を含む）を、コンピュータ可読記録媒体、たとえば、ＲＡＭメモリ、磁気もしくは光学式ドライブ、フロッピ・ディスク、または類似するデバイスに格納することができる。さらに、本発明のいくつかのステップまたは機能を、ハードウェアによって、たとえばさまざまなステップまたは機能を実行するためにプロセッサと協働する回路として実施することができる。
【０１０４】
さらに、本発明の一部を、コンピュータ・プログラム製品として、たとえば、コンピュータによって実行される時に、コンピュータの動作を介して、本発明の方法および／または技術的解決策を呼び出すか提供することができるコンピュータ・プログラム命令として適用することができる。しかし、本発明の方法を呼び出すプログラム命令を、固定記録媒体またはモバイル記録媒体に格納することができ、かつ／またはプログラム命令に従って動作するコンピュータ・デバイスの作業メモリに格納することができる。ここで、本発明による一実施形態は、コンピュータ・プログラム命令を格納するメモリと、プログラム命令を実行するプロセッサとを含む装置であって、コンピュータ・プログラム命令がプロセッサによって実行される時に、装置が、本発明の以前に言及された複数の実施形態に基づいて方法および／または技術的解決策を実行するためにトリガされる、装置を含む。
【０１０５】
当業者にとって、本発明が、上の例示的な実施形態の詳細に限定されず、本発明が、本発明の趣旨または基本的特徴から逸脱せずに他の特定の実施形態を用いて実施され得ることは、明白である。したがって、任意の展望から、諸実施形態は、例示的であって非限定的であるとみなされなければならない。本発明の範囲は、上の説明ではなく、添付の特許請求の範囲によって限定される。したがって、特許請求の範囲に含まれる同等の要素および範囲内のすべての変形形態の意味は、本発明に含まれることが意図されている。特許請求の範囲のすべての符号は、関る請求項を限定するものとみなすべきではない。さらに、「ｃｏｍｐｒｉｓｅ（含む）」および「ｉｎｃｌｕｄｅ（含む）」などの用語が、他のユニットまたはステップを除外せず、単数形が複数形を除外しないことは、明白である。添付の特許請求の範囲で述べられる複数のユニットまたはモジュールを、ソフトウェアまたはハードウェアを介して単一のユニットまたはモジュールによって実施することもできる。第１および第２などの用語は、特定のシーケンスを表すのではなく、名前を表すのに使用される。
【図１】
2016503257.tif 000003
【図３】
2016503257.tif 000004
【図５】
2016503257.tif 000005
【図６】
2016503257.tif 000006
【図７】
2016503257.tif 000007
【図８】
2016503257.tif 000008
【図９】
2016503257.tif 000009
【図１０】
2016503257.tif 000010
【図１１】
2016503257.tif 000011
【図１２】
2016503257.tif 000012
【図２】
2016503257.tif 000013
【図４】
2016503257.tif 000014
【国際調査報告】
2016503257.tif 000015
2016503257.tif 000016
2016503257.tif 000017